(57)【要約】  【課題】キャリアに関らず保留先から保留音を出力する。また保留音を変更可能とする。  【解決手段】呼制御サーバ２は、ＩＰ電話網７側からの保留メッセージのメソッド・メディア属性を、保留先の収容端末で処理可能な保留メッセージのメソッド・メディア属性に変換し、この保留メッセージを、この収容端末に送信する。また、ＩＰ電話網７側からの保留メッセージを、そのメディア属性を、保留先を保留音源に指定するメディア属性から保留元を保留音源に指定するメディア属性に変換して収容端末に送信した場合に、保留音を生成して収容端末に送信する。また、ＩＰ電話網７側からの保留メッセージを、そのメディア属性を、保留元を保留音源に指定するメディア属性から、保留先を保留音源に指定するメディア属性に変換して収容端末に送信した場合に、ＩＰ電話網７の通話相手から送られてくる保留音を破棄する。また、収容端末の指示に従い保留音を変更できる。【選択図】図２
2010004406.tif 000002
【特許請求の範囲】
【請求項１】
少なくとも一台のＩＰ電話端末をＩＰ電話網に接続する通信装置であって、
キャリア毎に、当該キャリアがサポートする保留メッセージのメソッドおよびメディア属性を記憶するキャリア情報記憶手段と、
前記ＩＰ電話端末から受信した保留メッセージのメソッドおよびメディア属性を、自通信装置が加入しているキャリアに対応付けられて前記キャリア情報記憶手段に記憶されている保留メッセージのメソッドおよびメディア属性に変換して、当該保留メッセージを前記ＩＰ電話網に送信する保留メッセージ変換手段と、
前記保留メッセージ変換手段により、前記ＩＰ電話端末から受信した保留メッセージのメディア属性が、保留先を保留音源に指定するメディア属性から、保留元を保留音源に指定するメディア属性に変換され、当該保留メッセージが前記ＩＰ電話網に送信された場合に、保留音を生成して、当該保留音を当該保留メッセージの送信先に送信する保留音代理生成手段と、
前記保留メッセージ変換手段により、前記ＩＰ電話端末から受信した保留メッセージのメディア属性が、保留元を保留音源に指定するメディア属性から、保留先を保留音源に指定するメディア属性に変換され、当該保留メッセージが前記ＩＰ電話網に送信された場合に、当該ＩＰ電話端末から送られてくる保留音を、当該保留メッセージの送信先に送信することなく破棄する保留音終端手段と、を有する
ことを特徴とする通信装置。
【請求項２】
請求項１に記載の通信装置であって、
自通信装置が収容するＩＰ電話端末毎に、当該ＩＰ電話端末がサポートする保留メッセージのメソッドおよびメディア属性を記憶する端末情報記憶手段をさらに有し、
前記保留メッセージ変換手段は、
前記ＩＰ電話網から受信した保留メッセージのメソッドおよびメディア属性を、当該保留メッセージの送信先に対応付けられて前記端末情報記憶手段に記憶されている保留メッセージのメソッドおよびメディア属性に変換して、当該保留メッセージを、当該保留メッセージの送信先に送信し、
前記保留音代理生成手段は、
前記保留メッセージ変換手段により、前記ＩＰ電話網から受信した保留メッセージのメディア属性が、保留先を保留音源に指定するメディア属性から、保留元を保留音源に指定するメディア属性に変換され、当該保留メッセージが、当該保留メッセージの送信先のＩＰ電話端末に送信された場合に、保留音を生成して、当該保留音を当該保留メッセージの送信先に送信し、
前記保留音終端手段は、
前記保留メッセージ変換手段により、前記ＩＰ電話網から受信した保留メッセージのメディア属性が、保留元を保留音源に指定するメディア属性から、保留先を保留音源に指定するメディア属性に変換されて、当該保留メッセージが当該保留メッセージの送信先に送信された場合に、前記ＩＰ電話網から送られてくる保留音を、当該保留メッセージの送信先に送信することなく破棄する
ことを特徴とする通信装置。
【請求項３】
請求項１又は２に記載の通信装置であって、
音源情報を記憶する音源情報記憶手段をさらに有し、
前記保留音代理生成手段は、
受信した保留メッセージで指定されている音源情報を前記音源情報記憶手段から読み出して、当該音源情報に基づき前記保留音を生成する
ことを特徴とする通信装置。
【請求項４】
請求項３に記載の通信装置であって、
前記保留音代理生成手段は、
保留メッセージの送信元である前記ＩＰ電話端末から音源情報の変更要求を受け付けた場合に、当該変更要求で指定されている音源情報を前記音源情報記憶手段から読み出して、当該音源情報に基づいて前記保留音を変更する
ことを特徴とする通信装置。
【請求項５】
少なくとも一台の電話端末を収容し、通信網に接続する通信装置であって、
複数の音源情報を記憶する記憶手段と、
通信中の前記電話端末からの音源情報送出要求により、前記記憶手段に記憶された音源情報の一つを前記通信網に送出する音源情報送出手段と、
前記音源情報送出手段が前記通信網に音源情報を送出している場合に、前記電話端末からの音源情報変更要求を受けると、送出している音源情報を変更し、当該音源情報変更要求の音源情報を送出する音源情報変更手段と、を備えた
ことを特徴とする通信装置。
【請求項６】
通信網に接続される電話端末であって、
複数の音源情報を記憶する記憶手段と、
前記音源情報の指定を受け付ける受付手段と、
通話中に前記受付手段の指定により、前記記憶手段に記憶された音源情報の一つを前記通信網に送出する音源情報送出手段と、
前記音源情報送出手段が前記通信網に音源情報を送出している場合に、前記受付手段より、別の音源情報の指定を受け付けると、送出している音源情報を変更し、当該指定された音源情報を送出する音源情報変更手段と、を備えた
ことを特徴とする電話端末。
【請求項７】
保留機能を備えたＩＰ電話端末であって、
音源情報を記憶する音源情報記憶手段と、
音源情報の指定を受け付ける受付手段と、
前記受付手段により指定されている音源情報を前記音源情報記憶手段から読み出して、当該音源情報に基づき保留音を生成し、生成した保留音を保留先の通話相手に送信する保留音生成手段と、を有する
ことを特徴とするＩＰ電話端末。
【請求項８】
ＢＧＭ機能を備えたＩＰ電話端末であって、
音源情報を記憶する音源情報記憶手段と、
音源情報の指定を受け付ける受付手段と、
前記受付手段により指定されている音源情報を前記音源情報記憶手段から読み出して再生する音源再生手段と、
マイクに入力された音声データと前記音源再生手段から出力された再生データとを合成して、通話相手に送信する通話データを生成する送信音声合成手段と、を有する
ことを特徴とするＩＰ電話端末。
【発明の詳細な説明】
【技術分野】
【０００１】
本発明は、電話の保留技術および電話端末に関し、例えば通話中の相手先に音源情報（例えば保留音）の送出及び変更可能な音源を備える通信装置若しくは電話端末に関する。
【背景技術】
【０００２】
特許文献１には、帯域を節約できるＩＰ電話の保留技術が開示されている。
【０００３】
この技術において、保留元のＩＰ電話端末は、保留元を保留音源に指定するメディア属性を備えた保留メッセージを、呼制御サーバ経由で保留先のＩＰ電話端末に通知する。しかし、保留元のＩＰ電話端末は、保留先のＩＰ電話端末に保留音を送信しない。一方、保留先のＩＰ電話端末は、呼制御サーバ経由で保留元のＩＰ電話端末から保留メッセージを受信した場合に、この保留メッセージのメディア属性が保留元を保留音源に指定するメディア属性であるにもかかわらず、自ら保留音を生成して出力する（例えば図６参照）。このようにすることにより、保留音がＩＰ電話網上を流れないので、帯域を節約することができる。
【特許文献１】特開２００６−１３９１６号公報
【発明の開示】
【発明が解決しようとする課題】
【０００４】
現在、ＩＰ電話網を提供するキャリアは多々あるが、これらのキャリアがサポートする保留メッセージのメソッドおよびメディア属性は異なることがある。また、保留メッセージをサポートしないキャリアもある。このため、キャリアによっては、保留先のＩＰ電話端末から保留音を出力できない場合がある。また、従来のＩＰ電話端末は、所望の音源情報を通話相手に聞かせることや、相手に送出中の音源情報を途中変更することについて何ら考慮されていない。
【０００５】
本発明は上記事情に鑑みてなされたものであり、本発明の目的は、キャリアに関わらず保留先から保留音を出力可能な技術を提供することにある。また、本発明の他の目的は、所望の音源情報を通話中の相手に聞かせることや、相手に送出中の保留音及び音源情報を途中変更が可能な技術を提供することにある。
【課題を解決するための手段】
【０００６】
上記課題を解決するために、本発明の通信装置は、ＩＰ電話端末から受信した保留メッセージのメソッドおよびメディア属性を、自通信装置が加入するキャリアがサポートする保留メッセージのメソッドおよびメディア属性に変換して、当該保留メッセージをＩＰ電話網に送信する。また、必要に応じて、保留元のＩＰ電話端末の代わりに保留音を生成し、当該保留音を保留先に送信する。
【０００７】
例えば、本発明の通信装置は、少なくとも一台のＩＰ電話端末をＩＰ電話網に接続する通信装置であって、
キャリア毎に、当該キャリアがサポートする保留メッセージのメソッドおよびメディア属性を記憶するキャリア情報記憶手段と、
前記ＩＰ電話端末から受信した保留メッセージのメソッドおよびメディア属性を、自通信装置が加入しているキャリアに対応付けられて前記キャリア情報記憶手段に記憶されている保留メッセージのメソッドおよびメディア属性に変換して、当該保留メッセージを前記ＩＰ電話網に送信する保留メッセージ変換手段と、
前記保留メッセージ変換手段により、前記ＩＰ電話端末から受信した保留メッセージのメディア属性が、保留先を保留音源に指定するメディア属性から、保留元を保留音源に指定するメディア属性に変換されて、当該保留メッセージが前記ＩＰ電話網に送信された場合に、保留音を生成して当該保留メッセージの送信先に送信する保留音代理生成手段と、
前記保留メッセージ変換手段により、前記ＩＰ電話端末から受信した保留メッセージのメディア属性が、保留元を保留音源に指定するメディア属性から、保留先を保留音源に指定するメディア属性に変換されて、当該保留メッセージが前記ＩＰ電話網に送信された場合に、当該ＩＰ電話端末から送られてくる保留音を、当該保留メッセージの送信先に送信することなく破棄する保留音終端手段と、を有する。
【０００８】
また、本発明の通信装置は、通話中の相手先に音源情報（例えば保留音）の送出及び変更可能な音源を備える。
【０００９】
例えば、本発明の通信装置は、
少なくとも一台の電話端末を収容し、通信網に接続する通信装置であって、
複数の音源情報を記憶する記憶手段と、
通信中の前記電話端末からの音源情報送出要求により、前記記憶手段に記憶された音源情報の一つを前記通信網に送出する音源情報送出手段と、
前記音源情報送出手段が前記通信網に音源情報を送出している場合に、前記電話端末からの音源情報変更要求を受けると、送出している音源情報を変更し、当該音源情報変更要求の音源情報を送出する音源情報変更手段と、を備える。
【００１０】
また、本発明の電話端末は、通話相手を保留する場合に、ユーザより指定されている音源情報を再生し、これを保留音として通話相手に送信する。また、ユーザより指定されている音源情報を再生し、これを通話中のＢＧＭとして通話相手に送信する。
【００１１】
例えば、本発明の電話端末は、
通信網に接続される電話端末であって、
複数の音源情報を記憶する記憶手段と、
前記音源情報の指定を受け付ける受付手段と、
通話中に前記受付手段の指定により、前記記憶手段に記憶された音源情報の一つを前記通信網に送出する音源情報送出手段と、
前記音源情報送出手段が前記通信網に音源情報を送出している場合に、前記受付手段より、別の音源情報の指定を受け付けると、送出している音源情報を変更し、当該指定された音源情報を送出する音源情報変更手段と、を備える。
【００１２】
また、例えば、本発明の電話端末は、
保留機能を備えたＩＰ電話端末であって、
音源情報を記憶する音源情報記憶手段と、
音源情報の指定を受け付ける受付手段と、
前記受付手段により指定されている音源情報を前記音源情報記憶手段から読み出して、当該音源情報に基づき保留音を生成し、生成した保留音を保留先の通話相手に送信する保留音生成手段と、を有する。
【００１３】
また、例えば、本発明の電話端末は、
例えば、本発明のＩＰ電話端末は、
ＢＧＭ機能を備えたＩＰ電話端末であって、
音源情報を記憶する音源情報記憶手段と、
音源情報の指定を受け付ける受付手段と、
前記受付手段により指定されている音源情報を前記音源情報記憶手段から読み出して再生する音源再生手段と、
マイクに入力された音声データと前記音源再生手段から出力された再生データとを合成して、通話相手に送信する通話データを生成する送信音声合成手段と、を有する。
【発明の効果】
【００１４】
本発明によれば、キャリアに関わらず保留先から保留音を出力することができる。また、所望の音源情報を通話相手に聞かせることができる。また、所望の音源情報を通話中の相手に聞かせることや、相手に送出中の音源情報を途中変更可能となる。更に、通話音声と音源情報とを合成して、音源情報をＢＧＭ的に使用することも可能となる。
【発明を実施するための最良の形態】
【００１５】
以下、本発明の実施の形態を説明する。
［第一実施の形態］
先ず、本発明の第一実施の形態に係る呼制御サーバを説明する。図１は、本発明の第一実施の形態に係る呼制御サーバを含むＩＰ電話システムの概略図である。
【００１６】
図示するように、ＩＰ電話システム１は、本実施の形態に係る呼制御サーバ２と、少なくとも一台のＩＰ−ＴＥＬ（ＩＰ電話機）３または無線ＩＰ−ＴＥＬ４と、ＡＰ（無線アクセスポイント）５と、呼制御サーバ２、ＩＰ−ＴＥＬ３およびＡＰ５を相互接続するＬＡＮ６と、を有する。
【００１７】
以上のような構成において、呼制御サーバ２は、ＳＩＰ（Ｓｅｓｓｉｏｎ  Ｉｎｉｔｉａｔｉｏｎ  Ｐｒｏｔｏｃｏｌ）に従い、自呼制御サーバ２が収容するＩＰ−ＴＥＬ３、無線ＩＰ−ＴＥＬ４の呼制御を実施する。これにより、自呼制御サーバ２が収容するＩＰ−ＴＥＬ３、無線ＩＰ−ＴＥＬ４をＩＰ電話網７に接続する。また、呼制御サーバ２は、ＩＰ−ＴＥＬ３、無線ＩＰ−ＴＥＬ４から受信した保留メッセージのメソッドおよびメディア属性を、ＩＰ電話網７のキャリアがサポートする保留メッセージのメソッドおよびメディア属性に変換し、その保留メッセージをＩＰ電話網７に送信する。また、必要に応じて、保留元（保留メッセージの送信元）のＩＰ−ＴＥＬ３、無線ＩＰ−ＴＥＬ４の代わりに保留音を生成し、ＩＰ電話網７を介して保留先（保留メッセージの送信元）に送信する。
【００１８】
図２は、本発明の第一実施の形態に係る呼制御サーバ２の概略構成図である。
【００１９】
図示するように、呼制御サーバ２は、ＬＡＮインターフェース部２１と、ＩＰ電話網インターフェース部２２と、呼制御部２３と、局データ記憶部２４と、端末情報記憶部２５と、キャリア情報記憶部２６と、保留制御部２７と、を有する。
【００２０】
ＬＡＮインターフェース部２１は、ＬＡＮ６に接続するためのインターフェースである。
【００２１】
ＩＰ電話網インターフェース部２２は、ＩＰ電話網７に接続するためのインターフェースである。
【００２２】
呼制御部２３は、ＳＩＰに従い呼制御処理を行って、自呼制御サーバ２が収容するＩＰ−ＴＥＬ３、無線ＩＰ−ＴＥＬ４（以下、収容端末とも呼ぶ）のセッションを確立する。
【００２３】
局データ記憶部２４には、呼制御部２３による呼制御処理に用いられる局データが記憶されている。
【００２４】
端末情報記憶部２５には、収容端末３、４の各々について、この収容端末３、４が処理可能な保留メッセージの情報が記憶されている。
【００２５】
図３（Ａ）は、端末情報記憶部２５の登録内容を模式的に表した図である。図示するように、端末情報記憶部２５には、収容端末毎にレコード２５０が登録されている。レコード２５０は、電話番号を登録するフィールド２５１と、ＩＰアドレスを登録するフィールド２５２と、保留メッセージのメソッドを登録するフィールド２５３と、保留指示の場合に使用する保留メッセージのメディア属性（ａ行）を登録するフィールド２５４と、保留解除の場合に使用する保留メッセージのメディア属性を登録するフィールド２５５と、を有する。
【００２６】
なお、図示するように、保留メッセージのメソッドとして、「ＵＰＤＡＴＥ」および「ｒｅ−ＩＮＶＩＴＥ」がある。また、保留指示の場合に使用する保留メッセージのメディア属性として、「ｓｅｎｄｏｎｌｙ」および「ｉｎａｃｔｉｖｅ」がある。「ｓｅｎｄｏｎｌｙ」は、保留元を保留音源とする場合、すなわち保留元から保留先に対して保留音を流す場合に利用される。一方、「ｉｎａｃｔｉｖｅ」は、保留先を保留音源とする場合、すなわち保留元から保留先に保留音を流さず、保留先がローカルで保留音を生成する場合に利用される。また、保留解除の場合に使用する保留メッセージのメディア属性として、「ｓｅｎｄｒｅｃｖ」がある。
【００２７】
キャリア情報記憶部２６には、ＩＰ電話サービスを提供するキャリア毎に、このキャリアがサポートする保留メッセージの情報が記憶されている。
【００２８】
図３（Ｂ）は、キャリア情報記憶部２６の登録内容を模式的に表した図である。図示するように、キャリア情報記憶部２６には、キャリア毎にレコード２６０が登録されている。レコード２６０は、キャリアの識別情報（キャリアＩＤ）を登録するフィールド２６１と、使用可能な保留メッセージのメソッドを登録するフィールド２６２と、保留指示の場合に使用可能な保留メッセージのメディア属性を登録するフィールド２６３と、保留解除の場合に使用可能な保留メッセージのメディア属性を登録するフィールド２６４と、を有する。
【００２９】
なお、キャリアが何れの保留メッセージもサポートしていない場合、このキャリアのレコード２６０のフィールド２６２〜２６４には「Ｎ／Ａ」が登録される。
【００３０】
保留制御部２７は、保留メッセージ変換部２７１と、保留音代理生成部２７２と、保留音終端部２７３と、を有する。
【００３１】
保留メッセージ変換部２７１は、収容端末３、４から受信した保留メッセージのメソッドおよびメディア属性を、ＩＰ電話網７のキャリアに対応付けられてキャリア情報記憶部２６に記憶されている保留メッセージのメソッドおよびメディア属性に変換し、この保留メッセージをＩＰ電話網７に送信する。また、保留メッセージ変換部２７１は、ＩＰ電話網７から受信した保留メッセージのメソッドおよびメディア属性を、この保留メッセージの送信先に対応付けられて端末情報記憶部２５に記憶されている保留メッセージのメソッドおよびメディア属性に変換して、この保留メッセージを、この保留メッセージの送信先に送信する。
【００３２】
保留音代理生成部２７２は、保留メッセージ変換部２７１により、収容端末３、４から受信した保留メッセージが、それのメディア属性が「ｉｎａｃｔｉｖｅ」から「ｓｅｎｄｏｎｌｙ」に変換されてからＩＰ電話網７に送信された場合に、保留音を生成し、この保留音を、ＩＰ電話網７を介して、この保留メッセージの送信先に送信する。また、保留音代理生成部２７２は、保留メッセージ変換部２７１により、ＩＰ電話網７から受信した保留メッセージが、それのメディア属性が「ｉｎａｃｔｉｖｅ」から「ｓｅｎｄｏｎｌｙ」に変換されてから、この保留メッセージの送信先である収容端末３、４に送信された場合に、保留音を生成し、この保留音を、この収容端末３、４に送信する。
【００３３】
保留音終端部２７３は、保留メッセージ変換部２７１により、収容端末３、４から受信した保留メッセージが、それのメディア属性が「ｓｅｎｄｏｎｌｙ」から「ｉｎａｃｔｉｖｅ」に変換されてからＩＰ電話網７に送信された場合に、この収容端末３、４から送られてくる保留音を、この保留メッセージの送信先に送信することなく破棄する。また、保留音終端部２７３は、保留メッセージ変換部２７１により、ＩＰ電話網７から受信した保留メッセージが、それのメディア属性が「ｓｅｎｄｏｎｌｙ」から「ｉｎａｃｔｉｖｅ」に変換されてから、この保留メッセージの送信先である収容端末３、４に送信された場合に、ＩＰ電話網７から送られてくる保留音を、この収容端末３、４に送信することなく破棄する。
【００３４】
図４は、本発明の第一実施の形態に係る呼制御サーバ２の保留制御処理を説明するためのフロー図である。このフローは、何れかの収容端末３、４がＩＰ電話網７を介して通話相手と通話中（セッション確立中）において、この収容端末３、４あるいは通話相手からの保留メッセージを呼制御サーバ２が受信することにより開始される。
【００３５】
先ず、呼制御部２３は、受信した保留メッセージを保留制御部２７に渡す。これを受けて、保留メッセージ変換部２７１は、保留元が収容端末３、４（ＬＡＮ６側）であるか、それとも通話相手（ＩＰ電話網７側）であるかを判断する（Ｓ１００）。保留元が収容端末３、４である場合（Ｓ１００で「ＬＡＮ側」）はＳ１０１に進み、保留元が通話相手である場合（Ｓ１００で「ＩＰ電話網側」）はＳ１１１に進む。
【００３６】
Ｓ１０１において、保留メッセージ変換部２７１は、キャリア情報記憶部２６から、ＩＰ電話網７のキャリアに対応するレコード２６０を検索し、この検索したレコード２６０の登録内容に基づいて、収容端末３、４から受信した保留メッセージのメソッドおよびメディア属性を、ＩＰ電話網７のキャリアがサポートするメソッドおよびメディア属性に変換する。
【００３７】
具体的には、収容端末３、４から受信した保留メッセージのメソッドが、検索したレコード２６０のフィールド２６２に記述されているメソッドと異なる場合に、この保留メッセージのメソッドを、検索したレコード２６０のフィールド２６２に記述されているメソッドに変更する。また、収容端末３、４から受信した保留メッセージのメディア属性が保留指示であり、このメディア属性が、検索したレコード２６０のフィールド２６３に記述されているメディア属性と異なる場合に、この保留メッセージのメディア属性を、検索したレコード２６０のフィールド２６３に記述されているメディア属性に変更する。また、収容端末３、４から受信した保留メッセージのメディア属性が保留解除であり、このメディア属性が、検索したレコード２６０のフィールド２６４に記述されているメディア属性と異なる場合に、この保留メッセージのメディア属性を、検索したレコード２６０のフィールド２６４に記述されているメディア属性に変更する。
【００３８】
それから、保留メッセージ変換部２７１は、以上のようにして、必要に応じてメソッドおよびメディア属性が変換された保留メッセージを呼制御部２３に渡す。これを受けて、呼制御部２３は、この保留メッセージを、ＩＰ電話網インターフェース部２２からＩＰ電話網７に送信する。
【００３９】
ただし、ＩＰ電話網７のキャリアに対応するレコード２６０のフィールド２６２〜２６４に「Ｎ／Ａ」が登録されている場合、すなわち、ＩＰ電話網７のキャリアが保留メッセージをサポートしていない場合、保留メッセージ変換部２７１は、保留メッセージを、呼制御部２３に渡すことなく破棄する。したがって、保留メッセージはＩＰ電話網７に送信されない。
【００４０】
次に、呼制御部２３は、ＩＰ電話網インターフェース部２２を介してＩＰ電話網７側から、保留メッセージに対する応答メッセージを受信すると、ＬＡＮインターフェース部２１を介して保留元の収容端末３、４に、この応答メッセージを送信する（Ｓ１０２）。
【００４１】
ただし、ＩＰ電話網７のキャリアが保留メッセージをサポートしておらず、このため、Ｓ１０１において保留メッセージがＩＰ電話網７に送信されなかった場合、ＩＰ電話網７側の保留先から、保留メッセージに対する応答メッセージを受信しない。この場合、呼制御部２３は、保留元の収容端末３、４に対して、保留メッセージに対する応答メッセージを、保留先の代わりに送信する。
【００４２】
次に、保留音代理生成部２７２は、収容端末３、４から受信した保留メッセージのメディア属性が保留指示であるか、それとも保留解除であるかを調べる（Ｓ１０３）。保留メッセージのメディア属性が保留指示である場合（Ｓ１０３で「保留」）はＳ１０４に進み、保留メッセージのメディア属性が保留解除である場合（Ｓ１０３で「保留解除」）はＳ１２０に進む。
【００４３】
Ｓ１０４において、保留音代理生成部２７２は、Ｓ１０１において保留メッセージのメディア属性が、保留元を保留音源とする保留指示（メディア属性：ｓｅｎｄｏｎｌｙ）から、保留先を保留音源とする保留指示（メディア属性：ｉｎａｃｔｉｖｅ）に変更されたか否かを判断する。そのように変更されていない場合（Ｓ１０４でＮＯ）はＳ１０６に進む。一方、そのように変更された場合（Ｓ１０４でＹＥＳ）、保留音代理生成部２７２は、保留音終端部２７３に保留音の終端を指示する。これを受けて、保留音終端部２７３は、ＬＡＮインターフェース部２１を介して保留元の収容端末３、４から受信する音声パケット（保留音格納）を、ＩＰ電話網７に転送することなく破棄する（Ｓ１０５）。その後、このフローを終了する。
【００４４】
Ｓ１０６において、保留音代理生成部２７２は、Ｓ１０１において保留メッセージのメディア属性が、保留先を保留音源とする保留指示（メディア属性：ｉｎａｃｔｉｖｅ）から、保留元を保留音源とする保留指示（メディア属性：ｓｅｎｄｏｎｌｙ）に変更されたか否か、あるいは保留先を保留音源とする保留指示（メディア属性：ｉｎａｃｔｉｖｅ）の保留メッセージが破棄されたか否かを判断する。そのように変更されていない場合（Ｓ１０６でＮＯ）はこのフローを終了する。一方、そのように変更された場合（Ｓ１０６でＹＥＳ）、保留音代理生成部２７２は、保留音を生成する。そして、ＩＰ電話網インターフェース部２２を介してＩＰ電話網７側の保留先に、この保留音を格納した音声パケットを送信する（Ｓ１０７）。その後、このフローを終了する。
【００４５】
また、Ｓ１１１において、保留メッセージ変換部２７１は、端末情報記憶部２５から、保留先の収容端末３、４に対応するレコード２５０を検索し、この検索したレコード２５０に基づいて、ＩＰ電話網７から受信した保留メッセージのメソッドおよびメディア属性を、この収容端末３、４が処理可能なメソッドおよびメディア属性に変換する。
【００４６】
具体的には、ＩＰ電話網７側から受信した保留メッセージのメソッドが、検索したレコード２５０のフィールド２５３に記述されているメソッドと異なる場合に、この保留メッセージのメソッドを、検索したレコード２５０のフィールド２５３に記述されているメソッドに変更する。また、ＩＰ電話網７側から受信した保留メッセージのメディア属性が保留指示であり、このメディア属性が、検索したレコード２５０のフィールド２５４に記述されているメディア属性と異なる場合に、この保留メッセージのメディア属性を、検索したレコード２５０のフィールド２５４に記述されているメディア属性に変更する。また、ＩＰ電話網７側から受信した保留メッセージのメディア属性が保留解除であり、このメディア属性が検索したレコード２５０のフィールド２５５に記述されているメディア属性と異なる場合に、この保留メッセージのメディア属性を、検索したレコード２５０のフィールド２５５に記述されているメディア属性に変更する。
【００４７】
それから、保留メッセージ変換部２７１は、以上のようにして、必要に応じてメソッドおよびメディア属性が変換された保留メッセージを呼制御部２３に渡す。これを受けて、呼制御部２３は、この保留メッセージを、ＬＡＮインターフェース部２１からＬＡＮ６に送信する。
【００４８】
次に、呼制御部２３は、ＬＡＮインターフェース部２１を介してＬＡＮ６側から、保留メッセージに対する応答メッセージを受信すると、ＩＰ電話網インターフェース部２２を介してＩＰ電話網７側の保留元に、この応答メッセージを送信する（Ｓ１１２）。
【００４９】
次に、保留音代理生成部２７２は、ＩＰ電話網７側から受信した保留メッセージのメディア属性が保留指示であるか、それとも保留解除であるかを調べる（Ｓ１１３）。保留メッセージのメディア属性が保留指示である場合（Ｓ１１３で「保留」）はＳ１１４に進み、保留メッセージのメディア属性が保留解除である場合（Ｓ１１３で「保留解除」）はＳ１２０に進む。
【００５０】
Ｓ１１４において、保留音代理生成部２７２は、Ｓ１１１において保留メッセージのメディア属性が、保留元を保留音源とする保留指示（メディア属性：ｓｅｎｄｏｎｌｙ）から、保留先を保留音源とする保留指示（メディア属性：ｉｎａｃｔｉｖｅ）に変更されたか否かを判断する。そのように変更されていない場合（Ｓ１１４でＮＯ）はＳ１１６に進む。一方、そのように変更された場合（Ｓ１１４でＹＥＳ）、保留音代理生成部２７２は、保留音終端部２７３に保留音の終端を指示する。これを受けて、保留音終端部２７３は、ＩＰ電話網インターフェース部２２を介してＩＰ電話網７側の保留元から受信する音声パケットを、ＬＡＮ６側の保留先の収容端末３、４に転送することなく破棄する（Ｓ１１５）。その後、このフローを終了する。
【００５１】
Ｓ１１６において、保留音代理生成部２７２は、Ｓ１１１において保留メッセージのメディア属性が、保留先を保留音源とする保留指示（メディア属性：ｉｎａｃｔｉｖｅ）から、保留元を保留音源とする保留指示（メディア属性：ｓｅｎｄｏｎｌｙ）に変更されたか否かを判断する。そのように変更されていない場合（Ｓ１１６でＮＯ）はこのフローを終了する。一方、そのように変更された場合（Ｓ１１６でＹＥＳ）、保留音代理生成部２７２は、保留音を生成する。そして、ＬＡＮインターフェース部２１を介してＬＡＮ６側の保留先の収容端末３、４に、この保留音を格納した音声パケットを送信する（Ｓ１１７）。その後、このフローを終了する。
【００５２】
また、Ｓ１２０において、保留音代理生成部２７２は、保留音を格納した音声パケットを送信中であるならば、この保留音の生成および音声パケットの送信を停止する。そして、このフローを終了する。
【００５３】
次に、図１に示すＩＰ電話システム１の動作例を説明する。
【００５４】
図５（Ａ）は、いずれかの収容端末３、４からＩＰ電話網７側の通話相手８へ保留メッセージ（保留指示）を送信する場合の動作例を示すシーケンス図である。ここでは、収容端末を電話番号［００１］のＩＰ−ＴＥＬ３とし、ＩＰ電話網７のキャリアをキャリアＥとしている（図３（Ａ）、（Ｂ）参照）。
【００５５】
電話番号［００１］のＩＰ−ＴＥＬ３（保留元）とＩＰ電話網７側の通話相手８（保留先）との間にセッションが確立されているものとする（Ｓ２００）。
【００５６】
この状態において、電話番号［００１］のＩＰ−ＴＥＬ３は、ユーザから保留指示を受け付けると（Ｓ２０１）、呼制御サーバ２に保留メッセージ（メソッド：ＵＰＤＡＴＥ、メディア属性：ｓｅｎｄｏｎｌｙ）を送信する（Ｓ２０２）。
【００５７】
呼制御サーバ２は、電話番号［００１］のＩＰ−ＴＥＬ３から、この保留メッセージ（メソッド：ＵＰＤＡＴＥ、メディア属性：ｓｅｎｄｏｎｌｙ）を受信すると、ＩＰ電話網７のキャリアＥに対応付けられてキャリア情報記憶部２６に記憶されているレコード２６０の登録内容に基づいて、この保留メッセージを、ＩＰ電話網７がサポートする保留メッセージ（メソッド：ｒｅ−ＩＮＶＩＴＥ、メディア属性：ｉｎａｃｔｉｖｅ）に変換する（Ｓ２０３）。そして、この保留メッセージを、ＩＰ電話網７を介して通話相手８に送信する（Ｓ２０４）。
【００５８】
通話相手８は、保留メッセージ（メソッド：ｒｅ−ＩＮＶＩＴＥ、メディア属性：ｉｎａｃｔｉｖｅ）を受信すると、応答メッセージを返信する（Ｓ２０５）。また、この保留メッセージのメディア属性に従い、保留音を生成して出力する（Ｓ２０７）。
【００５９】
一方、呼制御サーバ２は、ＩＰ電話網７を介して通話相手８から応答メッセージを受信すると、この応答メッセージを電話番号［００１］のＩＰ−ＴＥＬ３に転送する（Ｓ２０６）。これを受けて、電話番号［００１］のＩＰ−ＴＥＬ３は、保留音を生成し、この保留音を格納した音声パケットを通話相手８宛に送信する（Ｓ２０８）。呼制御サーバ２は、この音声パケットを、ＩＰ電話網７に送出することなく破棄する（Ｓ２０９）。
【００６０】
図５（Ｂ）は、ＩＰ電話網７側の通話相手８からいずれかの収容端末３、４へ保留メッセージ（保留指示）を送信する場合の動作例を示すシーケンス図である。ここでは、収容端末を電話番号［００１］のＩＰ−ＴＥＬ３とし、ＩＰ電話網７のキャリアをキャリアＥとしている（図３（Ａ）、（Ｂ）参照）。
【００６１】
電話番号［００１］のＩＰ−ＴＥＬ３（保留先）とＩＰ電話網７側の通話相手８（保留元）との間にセッションが確立されているものとする（Ｓ２１０）。
【００６２】
この状態において、通話相手８は、ユーザから保留指示を受け付けると（Ｓ２１１）、ＩＰ電話網７に保留メッセージ（メソッド：ｒｅ−ＩＮＶＩＴＥ、メディア属性：ｉｎａｃｔｉｖｅ）を送信する。この保留メッセージは、ＩＰ電話網７を介して呼制御サーバ２に到達する（Ｓ２１２）。
【００６３】
呼制御サーバ２は、ＩＰ電話網７から、この保留メッセージ（メソッド：ｒｅ−ＩＮＶＩＴＥ、メディア属性：ｉｎａｃｔｉｖｅ）を受信すると、この保留メッセージの送信先である電話番号［００１］のＩＰ−ＴＥＬ３に対応付けられて端末情報記憶部２５に記憶されているレコード２５０の登録内容に基づいて、この保留メッセージを、電話番号［００１］のＩＰ−ＴＥＬ３が処理可能な保留メッセージ（メソッド：ＵＰＤＡＴＥ、メディア属性：ｓｅｎｄｏｎｌｙ）に変換する（Ｓ２１３）。そして、この保留メッセージを電話番号［００１］のＩＰ−ＴＥＬ３に送信する（Ｓ２１４）。
【００６４】
電話番号［００１］のＩＰ−ＴＥＬ３は、保留メッセージ（メソッド：ＵＰＤＡＴＥ、メディア属性：ｓｅｎｄｏｎｌｙ）を受信すると、応答メッセージを返信する（Ｓ２１５）。
【００６５】
呼制御サーバ２は、電話番号［００１］のＩＰ−ＴＥＬ３から応答メッセージを受信すると、ＩＰ電話網７を介して通話相手８に、この応答メッセージ転送する（Ｓ２１６）。また、呼制御サーバ２は、保留音を生成し、この保留音を格納した音声パケットを電話番号［００１］のＩＰ−ＴＥＬ３に送信する（Ｓ２１７）。
【００６６】
図６（Ａ）は、いずれかの収容端末３、４からＩＰ電話網７側の通話相手８へ保留メッセージ（保留指示）を送信する場合の動作例を示すシーケンス図である。ここでは、収容端末を電話番号［００４］の無線ＩＰ−ＴＥＬ４とし、ＩＰ電話網７のキャリアをキャリアＡとしている（図３（Ａ）、（Ｂ）参照）。
【００６７】
電話番号［００４］の無線ＩＰ−ＴＥＬ４（保留元）とＩＰ電話網７側の通話相手８（保留先）との間にセッションが確立されているものとする（Ｓ２２０）。
【００６８】
この状態において、電話番号［００４］の無線ＩＰ−ＴＥＬ４は、ユーザから保留指示を受け付けると（Ｓ２２１）、呼制御サーバ２に保留メッセージ（メソッド：ｒｅ−ＩＮＶＩＴＥ、メディア属性：ｉｎａｃｔｉｖｅ）を送信する（Ｓ２２２）。
【００６９】
呼制御サーバ２は、電話番号［００４］の無線ＩＰ−ＴＥＬ４から、この保留メッセージ（メソッド：ｒｅ−ＩＮＶＩＴＥ、メディア属性：ｉｎａｃｔｉｖｅ）を受信すると、ＩＰ電話網７のキャリアＡに対応付けられてキャリア情報記憶部２６に記憶されているレコード２６０の登録内容に基づいて、この保留メッセージを、ＩＰ電話網７がサポートする保留メッセージ（メソッド：ＵＰＤＡＴＥ、メディア属性：ｓｅｎｄｏｎｌｙ）に変換する（Ｓ２２３）。そして、この保留メッセージを、ＩＰ電話網７を介して通話相手８に送信する（Ｓ２２４）。
【００７０】
通話相手８は、保留メッセージ（メソッド：ＵＰＤＡＴＥ、メディア属性：ｓｅｎｄｏｎｌｙ）を受信すると、応答メッセージを返信する（Ｓ２２５）。
【００７１】
呼制御サーバ２は、ＩＰ電話網７を介して、通話相手８から応答メッセージを受信すると、この応答メッセージを電話番号［００４］の無線ＩＰ−ＴＥＬ４に転送する（Ｓ２２６）。また、呼制御サーバ２は、保留音を生成し、この保留音を格納した音声パケットを、ＩＰ電話網７を介して通話相手８に送信する（Ｓ２２７）。
【００７２】
図６（Ｂ）は、ＩＰ電話網７側の通話相手８からいずれかの収容端末３、４へ保留メッセージ（保留指示）を送信する場合の動作例を示すシーケンス図である。ここでは、収容端末を電話番号［００４］の無線ＩＰ−ＴＥＬ４とし、ＩＰ電話網７のキャリアをキャリアＡとしている（図３（Ａ）、（Ｂ）参照）。
【００７３】
電話番号［００４］の無線ＩＰ−ＴＥＬ４（保留先）とＩＰ電話網７側の通話相手８（保留元）との間にセッションが確立されているものとする（Ｓ２３０）。
【００７４】
この状態において、通話相手８は、ユーザから保留指示を受け付けると（Ｓ２３１）、ＩＰ電話網７に保留メッセージ（メソッド：ＵＰＤＡＴＥ、メディア属性：ｓｅｎｄｏｎｌｙ）を送信する。この保留メッセージは、ＩＰ電話網７を介して呼制御サーバ２に到達する（Ｓ２３２）。
【００７５】
呼制御サーバ２は、ＩＰ電話網７から、この保留メッセージ（メソッド：ＵＰＤＡＴＥ、メディア属性：ｓｅｎｄｏｎｌｙ）を受信すると、この保留メッセージの送信先である電話番号［００４］の無線ＩＰ−ＴＥＬ４に対応付けられて端末情報記憶部２５に記憶されているレコード２５０の登録内容に基づいて、この保留メッセージを、電話番号［００４］の無線ＩＰ−ＴＥＬ４が処理可能な保留メッセージ（メソッド：ｒｅ−ＩＮＶＩＴＥ、メディア属性：ｉｎａｃｔｉｖｅ）に変換する（Ｓ２３３）。そして、この保留メッセージを電話番号［００４］の無線ＩＰ−ＴＥＬ４に送信する（Ｓ２３４）。
【００７６】
電話番号［００４］の無線ＩＰ−ＴＥＬ４は、保留メッセージ（メソッド：ｒｅ−ＩＮＶＩＴＥ、メディア属性：ｉｎａｃｔｉｖｅ）を受信すると、応答メッセージを返信する（Ｓ２３５）。また、この保留メッセージのメディア属性に従い、保留音を生成して出力する（Ｓ２３７）。
【００７７】
一方、呼制御サーバ２は、電話番号［００４］の無線ＩＰ−ＴＥＬ４から応答メッセージを受信すると、ＩＰ電話網７を介して通話相手８に、この応答メッセージ転送する（Ｓ２３６）。これを受けて、通話相手８は、保留音を生成し、この保留音を格納した音声パケットを電話番号［００４］の無線ＩＰ−ＴＥＬ４宛に送信する（Ｓ２３８）。呼制御サーバ２は、この音声パケットを、ＬＡＮ６に送出することなく破棄する（Ｓ２３９）。
【００７８】
図７（Ａ）は、いずれかの収容端末３、４からＩＰ電話網７側の通話相手８へ保留メッセージ（保留指示）を送信する場合の動作例を示すシーケンス図である。ここでは、収容端末を電話番号［００２］のＩＰ−ＴＥＬ３とし、ＩＰ電話網７のキャリアをキャリアＧとしている（図３（Ａ）、（Ｂ）参照）。
【００７９】
電話番号［００２］のＩＰ−ＴＥＬ３（保留元）とＩＰ電話網７側の通話相手８（保留先）との間にセッションが確立されているものとする（Ｓ２４０）。
【００８０】
この状態において、電話番号［００２］のＩＰ−ＴＥＬ３は、ユーザから保留指示を受け付けると（Ｓ２４１）、呼制御サーバ２に保留メッセージ（メソッド：ｒｅ−ＩＮＶＩＴＥ、メディア属性：ｓｅｎｄｏｎｌｙ）を送信する（Ｓ２４２）。
【００８１】
呼制御サーバ２は、電話番号［００２］のＩＰ−ＴＥＬ３から、この保留メッセージ（メソッド：ｒｅ−ＩＮＶＩＴＥ、メディア属性：ｓｅｎｄｏｎｌｙ）を受信すると、ＩＰ電話網７のキャリアＧに対応付けられてキャリア情報記憶部２６に記憶されているレコード２６０を検索する。そして、このレコード２６０のフィールド２６２〜２６４に「Ｎ／Ａ」が登録されていることを確認し、この保留メッセージを、ＩＰ電話網７に送信することなく破棄する（Ｓ２４３）。また、この保留メッセージに対する応答メッセージを電話番号［００２］のＩＰ−ＴＥＬ３に返信する（Ｓ２４４）。
【００８２】
これを受けて、電話番号［００２］のＩＰ−ＴＥＬ３は、保留音を生成し、この保留音を格納した音声パケットを送信する。この音声パケットは、呼制御サーバ２およびＩＰ電話網７を介して通話相手８に到達する（Ｓ２４５）。
【００８３】
図７（Ｂ）は、いずれかの収容端末３、４からＩＰ電話網７側の通話相手８へ保留メッセージ（保留指示）を送信する場合の動作例を示すシーケンス図である。ここでは、収容端末を電話番号［００３］の無線ＩＰ−ＴＥＬ４とし、ＩＰ電話網７のキャリアをキャリアＧとしている（図３（Ａ）、（Ｂ）参照）。
【００８４】
電話番号［００３］の無線ＩＰ−ＴＥＬ４（保留元）とＩＰ電話網７側の通話相手８（保留先）との間にセッションが確立されているものとする（Ｓ２５０）。
【００８５】
この状態において、電話番号［００３］の無線ＩＰ−ＴＥＬ４は、ユーザから保留指示を受け付けると（Ｓ２５１）、呼制御サーバ２に保留メッセージ（メソッド：ＵＰＤＡＴＥ、メディア属性：ｉｎａｃｔｉｖｅ）を送信する（Ｓ２５２）。
【００８６】
呼制御サーバ２は、電話番号［００３］の無線ＩＰ−ＴＥＬ４から、この保留メッセージ（メソッド：ＵＰＤＡＴＥ、メディア属性：ｉｎａｃｔｉｖｅ）を受信すると、ＩＰ電話網７のキャリアＧに対応付けられてキャリア情報記憶部２６に記憶されているレコード２６０を検索する。そして、このレコード２６０のフィールド２６２〜２６４に「Ｎ／Ａ」が登録されていることを確認し、この保留メッセージを、ＩＰ電話網７に送信することなく破棄する（Ｓ２５３）。また、この保留メッセージに対する応答メッセージを電話番号［００３］の無線ＩＰ−ＴＥＬ４に返信する（Ｓ２５４）。
【００８７】
それから、呼制御サーバ２は、保留音を生成し、この保留音を音声パケットに格納する。そして、ＩＰ電話網７を介して通話相手８に、この音声パケットを送信する（Ｓ２５５）。
【００８８】
図８（Ａ）は、保留中に保留元の収容端末３、４からＩＰ電話網７側の通話相手８（保留先）へ保留メッセージ（保留解除指示）を送信する場合の動作例を示すシーケンス図である。ここでは、収容端末を電話番号［００４］の無線ＩＰ−ＴＥＬ４とし、ＩＰ電話網７のキャリアをキャリアＡとしている（図３（Ａ）、（Ｂ）参照）。
【００８９】
図６（Ａ）に示すシーケンスが実施され、これにより、電話番号［００４］の無線ＩＰ−ＴＥＬ４およびＩＰ電話網７側の通話相手８間の通話が保留され、呼制御サーバ２からＩＰ電話網７側の通話相手８に保留音が送信されているものとする（Ｓ２６０）。
【００９０】
この状態において、電話番号［００４］の無線ＩＰ−ＴＥＬ４は、ユーザから保留解除指示を受け付けると（Ｓ２６１）、呼制御サーバ２に保留メッセージ（メソッド：ｒｅ−ＩＮＶＩＴＥ、メディア属性：ｓｅｎｄｒｅｃｖ）を送信する（Ｓ２６２）。
【００９１】
呼制御サーバ２は、電話番号［００４］の無線ＩＰ−ＴＥＬ４から、この保留メッセージ（メソッド：ｒｅ−ＩＮＶＩＴＥ、メディア属性：ｓｅｎｄｒｅｃｖ）を受信すると、ＩＰ電話網７のキャリアＡに対応付けられてキャリア情報記憶部２６に記憶されているレコード２６０の登録内容に基づいて、この保留メッセージを、ＩＰ電話網７がサポートする保留メッセージ（メソッド：ＵＰＤＡＴＥ、メディア属性：ｓｅｎｄｒｅｃｖ）に変換する（Ｓ２６３）。そして、この保留メッセージを、ＩＰ電話網７を介して通話相手８に送信する（Ｓ２６４）。
【００９２】
通話相手８は、この保留メッセージ（メソッド：ＵＰＤＡＴＥ、メディア属性：ｓｅｎｄｒｅｃｖ）を受信すると、応答メッセージを返信する（Ｓ２６５）。
【００９３】
呼制御サーバ２は、ＩＰ電話網７を介して通話相手８から応答メッセージを受信すると、この応答メッセージを電話番号［００４］の無線ＩＰ−ＴＥＬ４に転送する（Ｓ２６６）。また、呼制御サーバ２は、保留音を格納した音声パケットの通話相手８への送信を停止する（Ｓ２６７）。
【００９４】
図８（Ｂ）は、保留中にＩＰ電話網７側の通話相手８（保留元）から保留先の収容端末３、４へ保留メッセージ（保留解除指示）を送信する場合の動作例を示すシーケンス図である。ここでは、収容端末を電話番号［００１］のＩＰ−ＴＥＬ３とし、ＩＰ電話網７のキャリアをキャリアＥとしている（図３（Ａ）、（Ｂ）参照）。
【００９５】
図５（Ｂ）に示すシーケンスが実施され、これにより、電話番号［００１］のＩＰ−ＴＥＬ３およびＩＰ電話網７側の通話相手８間の通話が保留され、呼制御サーバ２から電話番号［００１］のＩＰ−ＴＥＬ３に保留音が送信されているものとする（Ｓ２７０）。
【００９６】
この状態において、通話相手８は、ユーザから保留解除指示を受け付けると（Ｓ２７１）、ＩＰ電話網７に保留メッセージ（メソッド：ｒｅ−ＩＮＶＩＴＥ、メディア属性：ｓｅｎｄｒｅｃｖ）を送信する。この保留メッセージは、ＩＰ電話網７を介して呼制御サーバ２に到達する（Ｓ２７２）。
【００９７】
呼制御サーバ２は、ＩＰ電話網７から、この保留メッセージ（メソッド：ｒｅ−ＩＮＶＩＴＥ、メディア属性：ｓｅｎｄｒｅｃｖ）を受信すると、この保留メッセージの送信先である電話番号［００１］のＩＰ−ＴＥＬ３に対応付けられて端末情報記憶部２５に記憶されているレコード２５０の登録内容に基づいて、この保留メッセージを電話番号［００１］のＩＰ−ＴＥＬ３が処理可能な保留メッセージ（メソッド：ＵＰＤＡＴＥ、メディア属性：ｓｅｎｄｒｅｃｖ）に変換する（Ｓ２７３）。そして、この保留メッセージを電話番号［００１］のＩＰ−ＴＥＬ３に送信する（Ｓ２７４）。
【００９８】
電話番号［００１］のＩＰ−ＴＥＬ３は、保留メッセージ（メソッド：ＵＰＤＡＴＥ、メディア属性：ｓｅｎｄｒｅｃｖ）を受信すると、応答メッセージを返信する（Ｓ２７５）。
【００９９】
呼制御サーバ２は、電話番号［００１］のＩＰ−ＴＥＬ３から応答メッセージを受信すると、ＩＰ電話網７を介して通話相手８に、この応答メッセージ転送する（Ｓ２７６）。また、呼制御サーバ２は、保留音を格納した音声パケットの、電話番号［００１］のＩＰ−ＴＥＬ３への送信を停止する（Ｓ２７７）。
【０１００】
以上、本発明の第一実施の形態について説明した。
【０１０１】
本実施の形態の呼制御サーバ２は、収容端末３、４から受信した保留メッセージのメソッドおよびメディア属性を、ＩＰ電話網７のキャリアに対応付けられてキャリア情報記憶部２６に記憶されている保留メッセージのメソッドおよびメディア属性に変換し、この保留メッセージをＩＰ電話網７に送信する。また、呼制御サーバ２は、収容端末３、４から受信した保留メッセージを、それのメディア属性を、保留先を保留音源に指定するメディア属性から、保留元を保留音源に指定するメディア属性に変換してからＩＰ電話網７に送信した場合に、保留音を生成してこの保留メッセージの送信先に送信する。また、呼制御サーバ２は、収容端末３、４から受信した保留メッセージを、それのメディア属性を、保留元を保留音源に指定するメディア属性から、保留先を保留音源に指定するメディア属性に変換してＩＰ電話網７に送信した場合に、この収容端末３、４から送られてくる保留音を、この保留メッセージの送信先に送信することなく破棄する。
【０１０２】
したがって、本実施の形態によれば、ＩＰ電話網７のキャリアに関わらず、保留先となるＩＰ電話網７側の通話相手に保留音を聞かせることが可能となる。
【０１０３】
また、本実施の形態の呼制御サーバ２は、ＩＰ電話網７側の通話相手から受信した保留メッセージのメソッドおよびメディア属性を、この保留メッセージの送信先である収容端末３、４に対応付けられて端末情報記憶部２５に記憶されている保留メッセージのメソッドおよびメディア属性に変換し、この保留メッセージを、この収容端末３、４に送信する。また、呼制御サーバ２は、ＩＰ電話網７側の通話相手から受信した保留メッセージを、それのメディア属性を、保留先を保留音源に指定するメディア属性から、保留元を保留音源に指定するメディア属性に変換してから、この収容端末３、４に送信した場合に、保留音を生成してこの収容端末に送信する。また、呼制御サーバ２は、ＩＰ電話網７側の通話相手から受信した保留メッセージを、それのメディア属性を、保留元を保留音源に指定するメディア属性から、保留先を保留音源に指定するメディア属性に変換してから、この収容端末に送信した場合に、ＩＰ電話網７の通話相手から送られてくる保留音を、この収容端末に送信することなく破棄する。
【０１０４】
したがって、本実施の形態によれば、ＩＰ電話網７のキャリアに関わらず、保留先となる収容端末３、４に保留音を聞かせることが可能となる。
【０１０５】
なお、本実施の形態において、呼制御サーバ２が自ら生成し音声パケットに格納して、保留先となるＩＰ電話網７側の通話相手に送信する保留音を、保留元である収容端末３、４のユーザが任意に選択できるようにしてもよい。
【０１０６】
この場合、収容端末３、４は、保留指示とともに保留音の指定をユーザから受付け、この保留音の指定を含む保留指示の保留メッセージを呼制御サーバ２に送信する。呼制御サーバ２は、保留音データ（オーディオデータ）を記憶する保留音データ記憶部を備え、図４のＳ１０７において、保留音代理生成部２７２が、この保留音データ記憶部に記憶されている保留音データの中から、収容端末３、４より受信した保留メッセージで指定されている保留音データを選択する。そして、この選択した保留音データに基づいて保留音を生成し、その保留音を格納した音声パケットを、保留先であるＩＰ電話網７側の通話相手に送信する。
【０１０７】
また、呼制御サーバ２が保留音を生成しているときに、保留先となるＩＰ電話網７側の通話相手に送信している保留音の音色を、保留元である収容端末３、４のユーザが任意に選択及び変更できるようにしてもよい。
【０１０８】
この場合、収容端末３、４は、保留音の変更の指定をユーザから受付け、この保留音の指定を含む保留指示の保留メッセージを呼制御サーバ２に送信する。呼制御サーバ２の保留音代理生成部２７２は、保留音データ（オーディオデータ）を記憶する保留音データ記憶部の中から、指定された保留音データを選択し、この選択した保留音データに基づいて保留音を生成し、その保留音を格納した音声パケットを、保留先であるＩＰ電話網７側の通話相手に送信する。
【０１０９】
このようにすることにより、呼制御サーバ２が、保留音を生成して、この保留音をＩＰ電話網７側の通話相手に送信する場合に、保留元の収容端末３、４のユーザが所望する保留音を保留先の通話相手に聞かせるとともに、送出中の保留の変更が可能となる。
【０１１０】
なお、本実施の形態では、呼制御サーバ２を例に取り説明したが、本発明はこれに限定されない。例えば本発明は、ＩＰ電話システム１を、ＩＰ電話網７に接続するゲートウェイ、ルータ等の通信装置に適用することも可能である。この場合、通信装置は、ＩＰ−ＴＥＬ３、無線ＩＰ−ＴＥＬ４から受信した保留メッセージのメソッドおよびメディア属性を、ＩＰ電話網７のキャリアがサポートする保留メッセージのメソッドおよびメディア属性に変換し、この保留メッセージをＩＰ電話網７に送信する。また、必要に応じて、保留元（ＩＰ−ＴＥＬ３、無線ＩＰ−ＴＥＬ４、またはＩＰ電話網７側の通話相手）の代わりに保留音を生成し、この保留音を保留先（ＩＰ電話網７側の通話相手、または、ＩＰ−ＴＥＬ３、無線ＩＰ−ＴＥＬ４）に送信する。
【０１１１】
更に、本発明のＩＰ電話網は、ＩＰを用いた網に限定されるものではなく、アナログ電話網（ＰＳＴＮ）でもよい。この場合、呼制御サーバ２の機能を、構内交換機やボタン電話装置が実施し、収容する電話機、多機能電話機等からの要求で保留機能、送出中のオーディオの変更機能、通話音声とオーディオを合成したＢＧＭ機能等を行えばよい。
［第二実施の形態］
次に、本発明の第二実施の形態に係るＩＰ電話端末を説明する。
【０１１２】
本実施の形態のＩＰ電話端末は、図１に示すＩＰ−ＴＥＬ３、無線ＩＰ−ＴＥＬ４のうち、保留元を保留音源とする保留指示の保留メッセージ（メディア属性：ｓｅｎｄｏｎｌｙ)を送信可能な端末（例えば図３（Ａ）において、電話番号「００１」、「００２」を持つ端末）に該当する。また、本実施の形態のＩＰ電話端末は、保留機能（保留音生成、送出）に加え、保留音生成中における出力中の保留音の変更機能と、通話中に相手にオーディオデータを送出する機能と、通話音声とともに、バックグランドミュージック（ＢＧＭ）、環境音等といったバックグラウンドサウンドを通話相手に聞かせるＢＧＭ機能と、を有する。
【０１１３】
図９は、本発明の第二実施の形態に係るＩＰ電話端末９の概略図である。
【０１１４】
図示するように、ＩＰ電話端末９は、ＬＡＮ（無線ＬＡＮ）インターフェース部９１と、マイク、スピーカを備えたハンドセット９２と、各種ボタン、表示部等を備えた操作パネル９３と、オーディオ情報記憶部９４と、オーディオ再生部９５と、通信処理部９６と、送信音声合成部９７と、受信音声合成部９８と、呼制御部９９と、を有する。
【０１１５】
ＬＡＮ（無線ＬＡＮ）インターフェース部９１は、ＬＡＮ６（あるいはＡＰ５を介してＬＡＮ６）に接続するためのインターフェースである。
【０１１６】
オーディオ情報記憶部９４には、オーディオデータが複数記憶されている。これらのオーディオデータは、保留音および通話相手に聞かせるＢＧＭに利用される。
【０１１７】
オーディオ再生部９５は、呼制御部９９よりの指示に従い、オーディオ情報記憶部９４からオーディオデータを読み出して再生し、その再生データを通信処理部９６（保留音の場合）、あるいは、送信音声合成部９７および受信音声合成部９８（ＢＧＭの場合）に出力する。
【０１１８】
通信処理部９６は、ＬＡＮ（無線ＬＡＮ）インターフェース部９１を介して通話相手より受信した音声パケットから通話データを取り出し、この通話データを受信音声合成部９８に渡す。また、送信音声合成部９７より受け取った通話データ、あるいはオーディオ再生部９５より受け取った保留音データを音声パケットに格納し、この音声パケットを、ＬＡＮ（無線ＬＡＮ）インターフェース部９１を介して通話相手に送信する。
【０１１９】
送信音声合成部９７は、ハンドセット９２のマイクに入力されたユーザの音声データと、オーディオ再生部９５より出力されたオーディオの再生データとを合成して送信用の通話データを生成し、この送信用の通話データを通信処理部９６に渡す。ここで、送信音声合成部９７は、オーディオの再生データの音量レベル（ｄＢ値）がユーザの音声データの音量レベルより低くなるように（例えば、音声データの音量レベルの半分程度となるように）合成する。なお、オーディオの再生データの音量レベルは、操作パネル９３を介してユーザが指定できるようにしてもよい。
【０１２０】
受信音声合成部９８は、通信処理部９６から受け取った通話相手の通話データと、オーディオ再生部９５より出力されたオーディオの再生データとを合成して出力用の音声データを生成し、この出力用の音声データをハンドセット９２のスピーカから出力する。ここで、受信音声合成部９８は、オーディオの再生データの音量レベル（ｄＢ値）が通話相手の通話データの音量レベルより低くなるように（例えば、通話データの音量レベルの半分程度となるように）合成する。なお、オーディオの再生データの音量レベルは、操作パネル９３を介してユーザが指定できるようにしてもよい。
【０１２１】
呼制御部９９は、ＳＩＰに従い呼制御処理を行って、通話相手との間にセッションを確立する。また、呼制御部９９は、ＩＰ電話端末９の各部を制御して、保留処理および通話相手にＢＧＭを聞かせるためのＢＧＭ処理を行う。
【０１２２】
図１０は、ＩＰ電話端末９の保留処理を説明するためのフロー図である。このフローは、通話中（セッション確立中）において、ＩＰ電話端末９が、操作パネル９３を介してユーザから保留指示を受け付けることにより開始される。
【０１２３】
先ず、呼制御部９９は、ＬＡＮ（無線ＬＡＮ）インターフェース部９１を介して通話相手に、メディア属性「ｓｅｎｄｏｎｌｙ」の保留メッセージ（保留元を保留音源に指定する保留指示のための保留メッセージ）を送信して、通話相手に保留を要求する（Ｓ３００）。そして、通話相手からこの保留メッセージに対する応答メッセージ（２００ＯＫ）が届くのを待つ（Ｓ３０１）。
【０１２４】
次に、呼制御部９９は、操作パネル９３を介してユーザからオーディオデータの指定を受け付けているならば（Ｓ３０２でＹＥＳ）、このオーディオデータの指定を伴う保留音再生指示をオーディオ再生部９５に出力する。これを受けて、オーディオ再生部９５は、指定されたオーディオデータをオーディオ情報記憶部９４から読み出して再生する。そして、得られた再生データを通信処理部９６に渡す。通信処理部９６は、この再生データ（保留音データ）を音声パケットに格納し、この音声パケットを、ＬＡＮ（無線ＬＡＮ）インターフェース部９１を介して通話相手に送信する（Ｓ３０３）。
【０１２５】
一方、呼制御部９９は、操作パネル９３を介してユーザからオーディオデータの指定を受け付けていないならば（Ｓ３０２でＮＯ）、デフォルト設定されているオーディオデータの指定を伴う保留音再生指示をオーディオ再生部９５に出力する。これを受けて、オーディオ再生部９５は、指定されたデフォルト設定のオーディオデータをオーディオ情報記憶部９４から読み出して再生する。そして、得られた再生データを通信処理部９６に渡す。通信処理部９６は、この再生データ（保留音データ）を音声パケットに格納し、この音声パケットを、ＬＡＮ（無線ＬＡＮ）インターフェース部９１を介して通話相手に送信する（Ｓ３０４）。
【０１２６】
次に、呼制御部９９は、操作パネル９３を介してユーザから保留解除指示が入力されるのを待つ（Ｓ３０５）。その後、呼制御部９９は、ユーザからの保留解除指示を受け付けると、オーディオ再生部９５に保留音再生の停止を指示する。これを受けて、オーディオ再生部９５は、オーディオデータの再生および通信処理部９６への出力を停止する（Ｓ３０６）。
【０１２７】
保留解除指示が入力されるのを待っている（Ｓ３０５）ときに、操作パネル９３を介してユーザからオーディオデータの変更指定を受け付けているならば（Ｓ３０９でＹＥＳ）、このオーディオデータの指定を伴う保留音再生指示をオーディオ再生部９５に出力する。これを受けて、オーディオ再生部９５は、指定されたオーディオデータをオーディオ情報記憶部９４から読み出して再生する。そして、得られた再生データを通信処理部９６に渡す。通信処理部９６は、この再生データ（保留音データ）を音声パケットに格納し、この音声パケットを、ＬＡＮ（無線ＬＡＮ）インターフェース部９１を介して通話相手に送信する（Ｓ３１０）。また、操作パネル９３を介してユーザからオーディオデータの指定を受け付けていないならば（Ｓ３０９でＮＯ）、送出中のオーディオデータの指定を継続し、保留解除指示の入力を待つ（Ｓ３０５）。
【０１２８】
それから、呼制御部９９は、ＬＡＮ（無線ＬＡＮ）インターフェース部９１を介して通話相手に、メディア属性「ｓｅｎｄｒｅｃｖ」の保留メッセージ（保留解除のための保留メッセージ）を送信して、通話相手に保留解除を要求する（Ｓ３０７）。そして、通話相手からこの保留メッセージに対する応答メッセージ（２００ＯＫ）が届くのを待って（Ｓ３０８）、このフローを終了する。
【０１２９】
図１１は、ＩＰ電話端末９のＢＧＭ処理を説明するためのフロー図である。このフローは、通話中（セッション確立中）において、ＩＰ電話端末９が、操作パネル９３を介してユーザからＢＧＭ指示を受け付けることにより開始される。
【０１３０】
先ず、呼制御部９９は、ＢＧＭ指示とともにユーザから受け付けたオーディオデータの指定を伴うＢＧＭ再生指示をオーディオ再生部９５に出力する。これを受けて、オーディオ再生部９５は、指定されたオーディオデータを、オーディオ情報記憶部９４から読み出して再生する。そして、再生データを送信音声合成部９７および受信音声合成部９８に渡す（Ｓ３１０）。
【０１３１】
これを受けて、送信音声合成部９７は、ハンドセット９２のマイクに入力されたユーザの音声データと、オーディオ再生部９５より出力されたオーディオの再生データとを合成して送信用の通話データを生成し、この送信用の通話データを通信処理部９６に渡す。通信処理部９６は、この再生データを音声パケットに格納し、この音声パケットを、ＬＡＮ（無線ＬＡＮ）インターフェース部９１を介して通話相手に送信する（Ｓ３１１）。
【０１３２】
一方、受信音声合成部９８は、ＬＡＮ（無線ＬＡＮ）インターフェース部９１を介して通話相手より受信した音声パケットから通信処理部９６が取り出した通話データと、オーディオ再生部９５より出力されたオーディオの再生データとを合成して出力用の音声データを生成する。そして、この出力用の音声データをハンドセット９２のスピーカから出力する（Ｓ３１２）。
【０１３３】
次に、呼制御部９９は、操作パネル９３を介してユーザからＢＧＭ解除指示が入力されたならば（Ｓ３１３でＹＥＳ）、オーディオ再生部９５にＢＧＭ再生の停止を指示する。これを受けて、オーディオ再生部９５は、オーディオデータの再生および送信音声合成部９７、受信音声合成部９８への出力を停止して（Ｓ３１４）、このフローを終了する。
【０１３４】
保留解除指示が入力されるのを待っている（Ｓ３１３でＮＯ）ときに、操作パネル９３を介してユーザからＢＧＭ変更指定を受け付けているならば（Ｓ３１５でＹＥＳ）、受け付けたオーディオデータの指定を伴うＢＧＭ再生指示をオーディオ再生部９５に出力する。これを受けて、オーディオ再生部９５は、指定されたオーディオデータを、オーディオ情報記憶部９４から読み出して再生する。そして、再生データを送信音声合成部９７および受信音声合成部９８に渡す。
【０１３５】
これを受けて、送信音声合成部９７は、ハンドセット９２のマイクに入力されたユーザの音声データと、オーディオ再生部９５より出力されたオーディオの再生データとを合成して送信用の通話データを生成し、この送信用の通話データを通信処理部９６に渡す。通信処理部９６は、この再生データを音声パケットに格納し、この音声パケットを、ＬＡＮ（無線ＬＡＮ）インターフェース部９１を介して通話相手に送信する。また、受信音声合成部９８は、ＬＡＮ（無線ＬＡＮ）インターフェース部９１を介して通話相手より受信した音声パケットから通信処理部９６が取り出した通話データと、オーディオ再生部９５より出力されたオーディオの再生データとを合成して出力用の音声データを生成する。そして、この出力用の音声データをハンドセット９２のスピーカから出力する（Ｓ３１６）。
【０１３６】
また、操作パネル９３を介してユーザからＢＧＭ変更指定を受け付けていないならば（Ｓ３１５でＮＯ）、現状のＢＧＭ処理を継続し、ＢＧＭ解除指示の入力を待つ（Ｓ３１３）。
【０１３７】
以上、本発明の第二実施の形態について説明した。
【０１３８】
本実施の形態のＩＰ電話端末９は、通話相手を保留する場合に、ユーザより指定されているオーディオを再生し、これを保留音として通話相手に送信する。したがって、本実施の形態によれば、所望のオーディオを保留音として保留中の通話相手に聞かせることができる。
【０１３９】
また、本実施の形態のＩＰ電話端末９は、ユーザより指定されているオーディオを再生し、これをユーザの音声データと合成して通話相手に送信する。したがって、本実施の形態によれば、所望のオーディオをＢＧＭとして通話相手に聞かせることができる。また、ＢＧＭをユーザの音声データと合成することにより、ハンドセット９２のマイクに集音された環境ノイズ等をＢＧＭで打ち消すことができる。これにより、ユーザの音声を通話相手に聞き易くすることが可能となる。
【０１４０】
また、本実施の形態のＩＰ電話端末９は、ユーザより指定されているオーディオを再生し、これを通話相手の通話データと合成してハンドセット９２のスピーカから出力する。したがって、本実施の形態によれば、通話相手に聞かせているＢＧＭをユーザが自ら確認することが可能となる。
【０１４１】
また、本実施の形態のＩＰ電話端末９は、ユーザおよび通話相手の双方にＢＧＭを聞かせているが、ユーザおよび通話相手のいずれか一方にのみＢＧＭを聞かせるようにしてもよい。
【０１４２】
なお、上記の各実施の形態では、通話中に相手先にオーディオを聞かせる機能、また、聞かせているオーディオを変更可能とする機能として、保留機能を用いて説明したが、本発明は上記の各実施の形態に限定されるものではない。通話中に通話相手先、または通話相手先および自装置ユーザにオーディオを聞かせたり、変更したりすることが可能という本発明の要旨の範囲内で数々の変形が可能である。
【０１４３】
また、例えば、上記の各実施の形態において、呼制御サーバ２およびＩＰ電話端末９の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよい。あるいは、ＤＳＰ（Ｄｉｇｉｔａｌ  Ｓｉｇｎａｌ  Ｐｒｏｃｅｓｓｏｒ）によりソフト的に実行されるものでもよい。もしくは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）を備えたＰＣ（Ｐｅｒｓｏｎａｌ  Ｃｏｍｐｕｔｅｒ）等の汎用コンピュータにおいて、ＣＰＵが、所定のプログラムを補助記憶装置からメモリ上にロードして実行することにより実現されるものでもよい。
【図面の簡単な説明】
【０１４４】
【図１】図１は、本発明の第一実施の形態に係る呼制御サーバ２を含むＩＰ電話システム１の概略図である。
【図２】図２は、本発明の第一実施の形態に係る呼制御サーバ２の概略構成図である。
【図３】図３（Ａ）は、端末情報記憶部２５の登録内容を模式的に表した図であり、図３（Ｂ）は、キャリア情報記憶部２６の登録内容を模式的に表した図である。
【図４】図４は、本発明の第一実施の形態に係る呼制御サーバ２の保留制御処理を説明するためのフロー図である。
【図５】図５（Ａ）は、収容端末３からＩＰ電話網７側の通話相手８へ保留メッセージ（保留指示）を送信する場合の動作例を示すシーケンス図であり、図５（Ｂ）は、ＩＰ電話網７側の通話相手８から収容端末３へ保留メッセージ（保留指示）を送信する場合の動作例を示すシーケンス図である。
【図６】図６（Ａ）は、収容端末４からＩＰ電話網７側の通話相手８へ保留メッセージ（保留指示）を送信する場合の動作例を示すシーケンス図であり、図６（Ｂ）は、ＩＰ電話網７側の通話相手８から収容端末４へ保留メッセージ（保留指示）を送信する場合の動作例を示すシーケンス図である。
【図７】図７（Ａ）は、収容端末３からＩＰ電話網７側の通話相手８へ保留メッセージ（保留指示）を送信する場合の動作例を示すシーケンス図であり、図７（Ｂ）は、収容端末４からＩＰ電話網７側の通話相手８へ保留メッセージ（保留指示）を送信する場合の動作例を示すシーケンス図である。
【図８】図８（Ａ）は、保留元の収容端末４からＩＰ電話網７側の保留先の通話相手８へ保留メッセージ（保留解除指示）を送信する場合の動作例を示すシーケンス図であり、図８（Ｂ）は、ＩＰ電話網７側の保留元の通話相手８から保留先の収容端末３へ保留メッセージ（保留解除指示）を送信する場合の動作例を示すシーケンス図である。
【図９】図９は、本発明の第二実施の形態に係るＩＰ電話端末９の概略図である。
【図１０】図１０は、ＩＰ電話端末９の保留処理を説明するためのフロー図である。
【図１１】図１１は、ＩＰ電話端末９のＢＧＭ処理を説明するためのフロー図である。
【符号の説明】
【０１４５】
１：ＩＰ電話システム、２：呼制御サーバ、３：ＩＰ−ＴＥＬ、４：無線ＩＰ−ＴＥＬ、５：ＡＰ、６：ＬＡＮ、７：ＩＰ電話網、８：通話相手、９：ＩＰ電話端末、２１：ＬＡＮインターフェース部、２２：ＩＰ電話網インターフェース部、２３：呼制御部、２４：局データ記憶部、２５：端末情報記憶部、２６：キャリア情報記憶部、２７：保留制御部、９１：ＬＡＮ（無線ＬＡＮ）インターフェース部、９２：ハンドセット、９３：操作パネル、９４：オーディオ情報記憶部、９５：オーディオ再生部、９６：通信処理部、９７：送信音声合成部、９８：受信音声合成部、２７１：保留メッセージ変換部、２７２：保留音代理生成部、２７３：保留音終端部
【図１】
2010004406.tif 000003
【図２】
2010004406.tif 000004
【図３】
2010004406.tif 000005
【図４】
2010004406.tif 000006
【図５】
2010004406.tif 000007
【図６】
2010004406.tif 000008
【図７】
2010004406.tif 000009
【図８】
2010004406.tif 000010
【図９】
2010004406.tif 000011
【図１０】
2010004406.tif 000012
【図１１】
2010004406.tif 000013